(57)【要約】【課題】  大気側に面する太陽光発電装置や建築物などの外殻体の外面が、雨水によって早期に汚損させられる、ということを防止する。【解決手段】  建造物１の外殻体２が、水平面に対し傾斜した傾斜方向Ａに延びる複数の縦枠３と、この縦枠３に交差する交差方向Ｂに延びる複数の横枠４と、これら縦枠３と横枠４とで囲まれた空間を閉じるよう設けられる複数のパネル材５とを備える。縦枠３の外面に、この縦枠３に沿って延びる縦排水溝３０を形成し、横枠４の外面にこの横枠４に沿って延びる横排水溝３１を形成する。各パネル材５の外面３３上を流下する水Ｗをそれぞれ横排水溝３１に流入可能にする一方、この横排水溝３１内の水Ｗを縦排水溝３０に流入可能にする。【選択図】  図１
2007009533.tif 000002
【特許請求の範囲】
【請求項１】
水平面に対し傾斜した傾斜方向に延びる複数の縦枠と、この縦枠に交差する交差方向に延びる複数の横枠と、これら縦枠と横枠とで囲まれた空間を閉じるよう設けられる複数のパネル材とを備えた建造物の外殻体において、
上記縦枠の外面に、この縦枠に沿って延びる縦排水溝を形成し、上記横枠の外面にこの横枠に沿って延びる横排水溝を形成し、上記各パネル材の外面上を流下する水をそれぞれ上記横排水溝に流入可能にする一方、この横排水溝内の水を上記縦排水溝に流入可能にしたことを特徴とする建造物の外殻体における排水構造。
【請求項２】
上記傾斜方向で、上記横枠の直上に位置する上側パネル材の外面よりも、上記傾斜方向で上記横枠の直下に位置する下側パネル材の外面を段差状に低く位置させ、この下側パネル材の外面への垂線に沿った方向で、上記両外面間に上記縦排水溝と横排水溝とを配置したことを特徴とする請求項１に記載の建造物の外殻体における排水構造。
【発明の詳細な説明】
【技術分野】
【０００１】
本発明は、外面が大気側に面する太陽光発電装置や建築物など建造物の外殻体に関し、より詳しくは縦枠、横枠、およびこれら両枠に囲まれた空間を閉じるよう設けられる太陽光発電パネルなどのパネル材を備えた建造物の外殻体における排水構造に関するものである。
【背景技術】
【０００２】
上記外殻体には、従来、下記特許文献１に示されるものがある。この公報のものによれば、上記外殻体は、地面上に立設される建造物本体をその外方から覆って、水平面に対し傾斜した傾斜方向に延びる複数の縦枠と、水平方向であって、この縦枠に交差する交差方向に延びる複数の横枠と、これら縦枠と横枠とで囲まれた空間を閉じるよう設けられる複数のパネル材とを備えている。
【０００３】
上記縦枠の一部は、上記交差方向で互いに隣り合う両パネル材の間に挟まれ、上記縦枠の他部は、上記両パネル材の互いの対向縁部の内面に接合して、これら両パネル材を上記構造物に支持させている。一方、上記横枠の一部は、上記傾斜方向で互いに隣り合う他の両パネル材の互いの対向縁部の各内、外面に接合し、これら他の両パネルを上記構造物に支持させている。
【０００４】
上記の場合、縦枠の一部の外面と、この縦枠を挟む上記両パネル材の各外面とは互いに面一とされている。一方、上記横枠の外面は、上記他の両パネル材の各外面よりも外方に突出している。
【０００５】
【特許文献１】特開平１１−２８０２２２号公報
【発明の開示】
【発明が解決しようとする課題】
【０００６】
ところで、雨天時、上記各パネル材の外面上に降り注いだ雨水は、この外面上を上記傾斜方向に向かって自然に流下する。このとき、上記したようにパネル材の外面よりも外方に突出している上記横枠により、上記雨水の流下が防止される。このため、上記傾斜方向で上記横枠の上側に位置する上側パネル材の下縁部の外面と、上記横枠とで挟まれた隅部には、雨水が溜りがちになる。そして、これは、外殻体の外観上の見栄えを低下させるおそれを生じる。
【０００７】
そこで、上記横枠と上記各パネル材とを、一体的に水平面に対し傾斜させることが考えられる。このようにすれば、上記隅部に雨水が溜まるということは防止され、上記問題点の発生が防止される。
【０００８】
ここで、上記のように横枠と各パネル材とを、一体的に傾斜させた場合、その傾斜させた方向に沿って配置されることとなる各パネル材の外面と、これら各パネル材の間に位置している上記各縦枠の一部の外面とは、前記したように互いに面一である。
【０００９】
このため、雨天時に、上記各パネル材と各縦枠の一部の各外面上に降り注いだ雨水は、上記各外面上を次々と流下する。この場合、上記各外面の全体に付着していた塵埃などの汚れ分は、上記のように流下する雨水と共に上記各外面上のうちの下流側に集められて、この下流側が早期に汚損させられるおそれを生じる。そして、これは、上記下流側における発電パネルの発電性能を早期に低下させたり、上記外殻体の外観上の見栄えを早期に低下させたりするという不都合を生じる。
【課題を解決するための手段】
【００１０】
本発明は、上記のような事情に注目してなされたもので、本発明の目的は、大気側に面する太陽光発電装置や建築物などの外殻体の外面が、雨水によって早期に汚損させられる、ということを防止することである。
【００１１】
請求項１の発明は、水平面に対し傾斜した傾斜方向Ａに延びる複数の縦枠３と、この縦枠３に交差する交差方向Ｂに延びる複数の横枠４と、これら縦枠３と横枠４とで囲まれた空間を閉じるよう設けられる複数のパネル材５とを備えた建造物の外殻体において、
上記縦枠３の外面に、この縦枠３に沿って延びる縦排水溝３０を形成し、上記横枠４の外面にこの横枠４に沿って延びる横排水溝３１を形成し、上記各パネル材５の外面３３上を流下する水Ｗをそれぞれ上記横排水溝３１に流入可能にする一方、この横排水溝３１内の水Ｗを上記縦排水溝３０に流入可能にしたものである。
【００１２】
請求項２の発明は、請求項１の発明に加えて、上記傾斜方向Ａで、上記横枠４の直上に位置する上側パネル材５（ａ）の外面３３よりも、上記傾斜方向Ａで上記横枠４の直下に位置する下側パネル材５（ｂ）の外面３３を段差状に低く位置させ、この下側パネル材５（ｂ）の外面３３への垂線に沿った方向Ｃで、上記両外面３３，３３間に上記縦排水溝３０と横排水溝３１とを配置したものである。
【００１３】
なお、この項において、上記各用語に付記した符号は、本発明の技術的範囲を後述の「実施例」の項や図面の内容に限定解釈するものではない。
【発明の効果】
【００１４】
本発明による効果は、次の如くである。
【００１５】
請求項１の発明は、水平面に対し傾斜した傾斜方向に延びる複数の縦枠と、この縦枠に交差する交差方向に延びる複数の横枠と、これら縦枠と横枠とで囲まれた空間を閉じるよう設けられる複数のパネル材とを備えた建造物の外殻体において、
上記縦枠の外面に、この縦枠に沿って延びる縦排水溝を形成し、上記横枠の外面にこの横枠に沿って延びる横排水溝を形成し、上記各パネル材の外面上を流下する水をそれぞれ上記横排水溝に流入可能にする一方、この横排水溝内の水を上記縦排水溝に流入可能にしている。
【００１６】
このため、雨天時など、上記各パネル材の外面上に降り注いだ水は、この外面上を上記傾斜方向の下方に向かい自然に流下して、上記横排水溝に流入させられる。また、この横排水溝内の水は、上記縦排水溝に流入させられ、この縦排水溝を傾斜方向の下方に向かい流動させられた後、排水される。
【００１７】
よって、従来の技術のように、水が複数のパネル材の外面上を次々と流下し、これら各パネル材の外面に全体に付着していた塵埃などの汚れ分が、上記複数のパネル材の外面上のうち、下流側に集められて、この下流側が早期に汚損させられる、ということは防止される。
【００１８】
この結果、上記建造物が太陽光発電装置であって、パネル材が発電パネルである場合に、この発電パネルの発電性能の早期の低下が防止される。また、上記外殻体の外観上の見栄えの早期の低下も防止される。
【００１９】
請求項２の発明は、上記傾斜方向で、上記横枠の直上に位置する上側パネル材の外面よりも、上記傾斜方向で上記横枠の直下に位置する下側パネル材の外面を段差状に低く位置させ、この下側パネル材の外面への垂線に沿った方向で、上記両外面間に上記縦排水溝と横排水溝とを配置している。
【００２０】
このため、上記縦排水溝を形成している縦枠の部分と上記横排水溝を形成している横枠の部分とが上記下側パネル材の外面上から大きく外方に突出する、ということが抑制される。よって、上記外殻体の外面側がコンパクトな形状となり、この外殻体の外観上の見栄えが向上する。
【発明を実施するための最良の形態】
【００２１】
本発明の建造物の外殻体における排水構造に関し、大気側に面する太陽光発電装置や建築物などの外殻体の外面が、雨水によって早期に汚損させられる、ということを防止する、という目的を実現するため、本発明を実施するための最良の形態は、次の如くである。
【００２２】
即ち、建造物の外殻体は、水平面に対し傾斜した傾斜方向に延びる複数の縦枠と、この縦枠に交差する交差方向に延びる複数の横枠と、これら縦枠と横枠とで囲まれた空間を閉じるよう設けられる複数のパネル材とを備えている。上記縦枠の外面に、この縦枠に沿って延びる縦排水溝を形成し、上記横枠の外面にこの横枠に沿って延びる横排水溝を形成し、上記各パネル材の外面上を流下する水をそれぞれ上記横排水溝に流入可能にする一方、この横排水溝内の水を上記縦排水溝に流入可能にしている。
【実施例】
【００２３】
本発明をより詳細に説明するために、その実施例を添付の図に従って説明する。
【００２４】
図において、符号１は太陽光発電装置で例示される建造物である。この建造物１は、地面上に立設される不図示の建造物本体と、この建造物本体をその外方から覆う外殻体２とを備え、この外殻体２の外面は大気側に面している。
【００２５】
上記外殻体２は、水平面に対し傾斜した傾斜方向Ａに階段状に延びる複数の縦枠３と、ほぼ水平方向であって、この縦枠３にほぼ直角に交差する交差方向Ｂに延びる複数の横枠４と、これら縦枠３と横枠４とで囲まれた空間を閉じるよう設けられる複数のパネル材５とを備えている。上記各縦枠３は上記交差方向Ｂで互いに並設されている。また、上記各横枠４は上記傾斜方向Ａで互いに並設されている。また、上記縦枠３と横枠４の各主体はアルミ軽金属製である。また、上記各パネル材５はそれぞれ矩形板状をなし、碁盤目状に配置されている。上記各パネル材５は、ほぼ水平に延びているが、わずかの俯角により傾斜方向Ａの下方に向かって傾斜していてもよい。
【００２６】
上記各パネル材５は、それぞれ互いに少し離れて対面する一対の内、外透明板７，８と、これら両透明板７，８の間に介設されるスペーサ９と、上記外透明板８の内面に付着されて保持される太陽電池１０とを備えている。上記パネル材５の各構成部品７−１０は互いに一体的に組み合わせられて、全体的に矩形板状とされている。
【００２７】
上記縦枠３は、上記建造物本体に支持され、上記交差方向Ｂで並設された両パネル材５，５の互いの対向縁部１２，１２に沿って延び、これら各対向縁部１２の内面に弾性体１３を介し接合される内側部材１４と、上記各対向縁部１２，１２に沿って延び、これら各対向縁部１２の外面に対面すると共に、これら両対向縁部１２，１２の間を通し上記内側部材１４に弾性体１５を介し接合される外側部材１６と、上記内側部材１４に外側部材１６を固着させる固着具１７と、上記各対向縁部１２の外面と外側部材１６との間に介設されるシール材１８とを備えている。つまり、上記パネル材５は、その対向縁部１２が上記縦枠３の内側部材１４と外側部材１６とによって挟み付けられた状態で、上記縦枠３により上記建造物本体に支持されている。
【００２８】
上記横枠４は、上記建造物本体に支持され、上記傾斜方向Ａで並設された両パネル材５，５の互いの他の対向縁部２１，２１に沿って延び、これら各他の対向縁部２１の内面に弾性体２２を介し接合される内側部材２３と、上記各他の対向縁部２１に沿って延び、これら各他の対向縁部２１の外面に対面すると共に、これら両他の対向縁部２１，２１の間を通し上記内側部材２３に弾性体２４を介し接合される外側部材２５と、上記内側部材２３に外側部材２５を固着させる固着具２６と、上記各他の対向縁部２１の外面と外側部材２５との間に介設される弾性体２７およびシール材２８とを備えている。つまり、上記パネル材５は、その他の対向縁部２１が上記横枠４の内側部材２３と外側部材２５とによって挟み付けられた状態で、上記横枠４により上記建造物本体に支持されている。
【００２９】
上記の場合、傾斜方向Ａで、横枠４の直上の上側パネル材５（ａ）における他の対向縁部２１の外面は、内透明板７の外面に相当している。また、上記傾斜方向Ａで、上記横枠４の外側部材２５の上端面と、上記上側パネル材５（ａ）における上記外透明板８の下端面との間には、他のシール材２９が介設されている。
【００３０】
上記縦枠３の外側部材１６の外面には、この縦枠３に沿って延び、外方に向かって開放される縦排水溝３０が上記外側部材１６の全長にわたり形成されている。また、上記横枠４の外側部材２５の外面には、この横枠４に沿って延び、外方に向かって開放される横排水溝３１が形成されている。上記各パネル材５の外面３３上を流下する水Ｗが、自然流下により上記横排水溝３１に流入可能とされている。また、上記横排水溝３１内の水Ｗが、自然流下により上記縦排水溝３０に流入可能とされている。
【００３１】
上記構成につき、より詳しく説明すると、上記傾斜方向Ａで、上記横枠４の直上に位置する上側パネル材５（ａ）の外面３３よりも、上記傾斜方向Ａで上記横枠４の直下に位置する下側パネル材５（ｂ）の外面３３が段差状に低く位置させられている。そして、この下側パネル材５（ｂ）の外面３３への垂線に沿った方向Ｃで、上記両外面３３，３３の間に上記縦排水溝３０と横排水溝３１とが配置されている。
【００３２】
上記傾斜方向Ａでの上記横枠４の下部の外面に上記横排水溝３１が形成されている。また、上記傾斜方向Ａでの上記横枠４の上部３４の外面３５と、上記上側パネル材５（ａ）の外面３３と、上記他のシール材２９の外面３６とは互いにほぼ面一とされている。これにより、上記上側パネル材５（ａ）の外面３３上を流下する水Ｗは上記横排水溝３１に自然に円滑に流入可能とされる。
【００３３】
上記傾斜方向Ａでの上記横枠４の下端面に縦枠３の上端面が上記シール材１８を介し接合させられている。上記横排水溝３１を上記縦排水溝３０に連通させる切り欠き３７が上記横枠４に形成されている。これにより、上記横排水溝３１内の水Ｗは上記切り欠き３７を通り、上記縦排水溝３０に自然に流入可能とされる。
【００３４】
上記傾斜方向Ａでの上記横枠４の上部３４の外面３５と、上記上側パネル材５（ａ）の外面３３と、上記他のシール材２９の外面３６とに跨り、これら各外面３３，３５，３６に上記シール材１８を介し圧接するよう上記縦枠３の外側部材１６が設けられている。上記縦枠３の外側部材１６に形成された縦排水溝３０の上記傾斜方向Ａでの下端は、上記横排水溝３１に向かって開口している。また、傾斜方向Ａでの最下端に位置する縦枠３は、その縦排水溝３０の下端が、上記傾斜方向Ａで、外殻体２の下方に向かって開口している。
【００３５】
上記構成によれば、縦枠３の外面に、この縦枠３に沿って延びる縦排水溝３０を形成し、上記横枠４の外面にこの横枠４に沿って延びる横排水溝３１を形成し、上記各パネル材５の外面３３上を流下する水Ｗをそれぞれ上記横排水溝３１に流入可能にする一方、この横排水溝３１内の水Ｗを上記縦排水溝３０に流入可能にしている。
【００３６】
このため、雨天時など、上記各パネル材５の外面３３上に降り注いだ水Ｗは、この外面３３上を上記傾斜方向Ａの下方に向かい自然に流下して、上記横排水溝３１に流入させられる。また、この横排水溝３１内の水Ｗは、上記縦排水溝３０に流入させられ、この縦排水溝３０を傾斜方向Ａの下方に向かい流動させられた後、排水される。
【００３７】
よって、従来の技術のように、水が複数のパネル材の外面上を次々と流下し、これら各パネル材の外面に全体に付着していた塵埃などの汚れ分が、上記複数のパネル材の外面上のうち、下流側に集められて、この下流側が早期に汚損させられる、ということは防止される。
【００３８】
この結果、上記建造物１が太陽光発電装置であって、パネル材５が発電パネルである場合に、この発電パネルの発電性能の早期の低下が防止される。また、上記外殻体２の外観上の見栄えの早期の低下も防止される。
【００３９】
また、前記したように、傾斜方向Ａで、上記横枠４の直上に位置する上側パネル材５（ａ）の外面３３よりも、上記傾斜方向Ａで上記横枠４の直下に位置する下側パネル材５（ｂ）の外面３３を段差状に低く位置させ、上記この下側パネル材５（ｂ）の外面３３への垂線に沿った方向Ｃで、上記両外面３３，３３間に上記縦排水溝３０と横排水溝３１とを配置している。
【００４０】
このため、上記縦排水溝３０を形成している縦枠３の部分と上記横排水溝３１を形成している横枠４の部分とが上記下側パネル材５（ｂ）の外面３３上から大きく外方に突出する、ということが抑制される。よって、上記外殻体２の外面側がコンパクトな形状となり、この外殻体２の外観上の見栄えが向上する。
【００４１】
また、前記したように、傾斜方向Ａでの上記横枠４の上部３４の外面３５と上記上側パネル材５（ａ）の外面３３とに跨り、これら各外面３３，３５に圧接するよう上記縦枠３の外側部材１６を設けている。
【００４２】
このため、上記縦枠３、横枠４、および上側パネル材５（ａ）が互いに連結されることとなる。よって、縦枠３と横枠４とは、これらに縦排水溝３０と横排水溝３１とを形成したことにより、外殻体２の剛性が低下しがちではあるが、これが補填される。
【００４３】
なお、以上は図示の例によるが、上記建造物１は建築物であってもよい。また、上記傾斜方向Ａや各パネル材５の俯角は５−３０°など、より大きくてもよい。また、上記傾斜方向Ａに並設された各パネル材５は傾斜方向Ａの下方に向かうに従い、上記俯角が漸増するようにしてもよい。
【図面の簡単な説明】
【００４４】
【図１】外殻体の部分斜視図である。
【図２】図１で示したものの側面断面図である。
【図３】図１のIII−III線矢視断面図である。
【図４】図１のIV−IV線矢視断面図である。
【符号の説明】
【００４５】
１    建造物
２    外殻体
３    縦枠
４    横枠
５    パネル材
１２  対向縁部
１４  内側部材
１６  外側部材
１７  固着具
２１  他の対向縁部
２３  内側部材
２５  外側部材
２６  固着具
３０  縦排水溝
３１  横排水溝
３３  外面
３４  上部
３５  外面
３７  切り欠き
Ａ    傾斜方向
Ｂ    交差方向
Ｃ    垂線に沿った方向
Ｗ    水
【図１】
2007009533.tif 000003
【図２】
2007009533.tif 000004
【図３】
2007009533.tif 000005
【図４】
2007009533.tif 000006